(57)【要約】【課題】簡易な構成で積み重ねた際の上下の包装箱のずれを防止することができる包装箱を提供する。【解決手段】  底板部２の周縁に側壁部３が立設された有底筒状の紙製の包装箱１であって、底板部２には、第１折目線５と該第１折目線５の両端を繋ぐ屈曲状または湾曲状の折返片用切目線４１とで囲まれる折返片４が設けられている。【選択図】図１
2020104935.tif 000002
【特許請求の範囲】
【請求項１】
底板部の周縁に側壁部が立設された有底筒状の紙製の包装箱であって、
前記底板部には、第１折目線と該第１折目線の両端を繋ぐ屈曲状または湾曲状の折返片用切目線とで囲まれる折返片が設けられていることを特徴とする包装箱。
【請求項２】
請求項１に記載の包装箱において、
前記第１折目線は断続的に形成され、
隣接する前記第１折目線の間には、該隣接する前記第１折目線を繋ぐ仮想線と、該隣接する前記第１折目線の端部を繋ぎ該仮想線を挟んで前記折返片用切目線の反対側に向かって凸状の係止片用切目線とで囲まれる係止片が設けられ、
前記係止片の基端から先端までの長さは、前記仮想線を対象軸とする線対称位置の前記折返片の基端から先端までの長さより大であるとともに、厚み方向に沿って該係止片を撓曲変形させることで前記底板部から前記折返片が遊離することで該底板部に該遊離片の形状に対応して形成される開口部を通過可能な長さであることを特徴とする包装箱。
【請求項３】
請求項１または２に記載の包装箱において、
前記側壁部は複数の側板が順次連接されることで角筒状に形成され、
前記折返片の周縁は、隣接する前記側板の上端部内面側にそれぞれ係止されることを特徴とする包装箱。
【請求項４】
請求項３に記載の包装箱において、
前記隣接する側板の境界には、該隣接する側板の内面を繋ぐ支柱板が前記側壁部の軸線に沿って延設され、
前記折返片の周縁は、前記支柱板の上端部内面側に係止されることを特徴とする包装箱。
【発明の詳細な説明】
【技術分野】
【０００１】
本発明は、積み重ねた際の上下の包装箱のずれを防止する構造を有する包装箱に関する。
【背景技術】
【０００２】
従来、この種の包装箱として、底板部の周縁に側壁部が立設された有底筒状の紙製の包装箱であって、底板部の四隅に切れ込みを設けて三角錐状のストッパーを裏面側から差し込んだものが知られている（特許文献１参照）。
【０００３】
特許文献１の包装箱によれば、包装箱を上下に積み重ねた際に、上側の包装箱のストッパーが下側の包装箱の側壁部に係止されるため、上下の包装箱のずれ防止が図られる。
【先行技術文献】
【特許文献】
【０００４】
【特許文献１】登録実用新案第３０４９４７９号公報
【発明の概要】
【発明が解決しようとする課題】
【０００５】
しかしながら、特許文献１の包装箱では、前記ストッパーを組み立てるために、包装箱とは別に厚紙を用意する必要があり、かつ、その組立も複雑であるため煩雑であった。
【０００６】
上記の点に鑑み、本発明は、簡易な構成で積み重ねた際の上下の包装箱のずれを防止することができる包装箱を提供することを目的とする。
【課題を解決するための手段】
【０００７】
かかる目的を達成するために、本発明の包装箱は、底板部の周縁に側壁部が立設された有底筒状の紙製の包装箱であって、前記底板部には、第１折目線と該第１折目線の両端を繋ぐ屈曲状または湾曲状の折返片用切目線とで囲まれる折返片が設けられていることを特徴とする。
【０００８】
本発明の包装箱では、底板部に、第１折目線と該第１折目線の両端を繋ぐ屈曲状または湾曲状の折返片用切目線とで囲まれる折返片が設けられているため、第１折目線を回転軸として折返片を底板部の裏面側に折り返すことができる。
【０００９】
これにより、包装箱を上下に積み重ねた際に、上側の包装箱の折返片が下側の包装箱の側壁部に係止されるため、上下の包装箱のずれ防止が図られる。
【００１０】
よって、本発明の包装箱によれば、簡易な構成で積み重ねた際の上下の包装箱のずれを防止することができる。
【００１１】
また、本発明の包装箱において、前記第１折目線は断続的に形成され、隣接する前記第１折目線の間には、該隣接する前記第１折目線を繋ぐ仮想線と、該隣接する前記第１折目線の端部を繋ぎ該仮想線を挟んで前記折返片用切目線の反対側に向かって凸状の係止片用切目線とで囲まれる係止片が設けられ、前記係止片の基端から先端までの長さは、前記仮想線を対象軸とする線対称位置の前記折返片の基端から先端までの長さより大であるとともに、厚み方向に沿って該係止片を撓曲変形させることで前記底板部から前記折返片が遊離することで該底板部に該遊離片の形状に対応して形成される開口部を通過可能な長さであることが好ましい。
【００１２】
まず、第１折目線を回転軸として折返片を底板部の裏面側に折り返した場合、前記底板部から前記折返片が遊離することで該底板部に該遊離片の形状に対応して開口部が形成される。そして、折返片と同様に第１折目線を回転軸とする該係止片は、前記第１切目の反対側に向かって凸状に形成されているため、底板部の表面側で反転して、開口部の外縁に接する。
【００１３】
このとき、該係止片の基端から先端までの長さは、厚み方向に沿って該係止片を撓曲変形させることで前記開口部を通過可能な長さであるため、係止片を開口部の下方に押し込むことで、係止片は開口部を通過する。そして、係止片の基端から先端までの長さは、前記仮想線を対象軸とする線対称位置の前記折返片の基端から先端までの長さより大であるため、第１折目線の弾性変形により、係止片の先端部は、底板部の裏面側において開口部の外縁に係止される。
【００１４】
以上より、上記構成を備える包装箱によれば、折返片を底板部に折り重ねた状態で固定することができるため、より確実に積み重ねた際の上下の包装箱のずれを防止することができる。
【００１５】
また、本発明の包装箱において、前記側壁部は複数の側板が順次連接されることで角筒状に形成され、前記折返片の周縁は、隣接する前記側板の上端部内面側にそれぞれ係止されることが好ましい。
【００１６】
この構成によれば、上側の包装箱の係止片は、下側の包装箱の隣接している２つの側板によって係止されるため、より確実に上下の包装箱のずれ防止を図ることができる。
【００１７】
さらに、この構成を備える包装箱において、前記隣接する側板の境界には、該隣接する側板の内面を繋ぐ支柱板が前記側壁部の軸線に沿って延設され、前記折返片の周縁は、前記支柱板の上端部内面側に係止されることが好ましい。
【００１８】
この構成によれば、上側の包装箱の折返片は、下側の包装箱の２つの側板と支柱板との３箇所で係止されるため、より確実に上下の包装箱のずれ防止を図ることができる。
【図面の簡単な説明】
【００１９】
【図１】本実施形態における包装箱の裏面を示す斜視図。
【図２】図１の包装箱の展開図。
【図３】図１の包装箱の組立工程を説明するための説明図であって、折返片を係止片で係止する工程を示す斜視図。
【図４】図１の包装箱の組立工程を説明するための説明図であって、側壁部を組み立てる工程を示す斜視図。
【図５】図１の包装箱の組立工程を説明するための説明図であって、内壁部を側壁部の内方に折り返した状態を示す斜視図。
【図６】図１の包装箱を閉蓋して積み重ねた状態を示す斜視図。
【図７】図６の下側の包装箱と上側の包装箱の折返片との位置関係を示す平面図。
【図８】本実施形態の包装箱における折返片の変形例を示す平面図。
【発明を実施するための形態】
【００２０】
本実施形態の包装箱１は、図１に示すように、矩形状の底板部２と、底板部２の周縁から立設された四角筒状の側壁部３とによって有底筒状に形成されている。
【００２１】
底板部２の裏面には、四隅に略六角形状の折返片４が形成されている。折返片４は、第１折目線５を回転軸として底板部２から折り返されて、一体に形成された略台形状の係止片６によって、底板部２に係止されている。
【００２２】
側壁部３は、対向する一対の第１側板７と、該第１側板７の対向する方向に直交する方向で対向する一対の第２側板８とが順次連接されることで略四角筒状に形成されている。
【００２３】
包装箱１は、図２に示すように、打抜き形成された段ボール板紙１０から組み立てられる。
【００２４】
図２に示すように、底板部２の四隅には、第１折目線５が形成されている。第１折目線５は、底板部２の隣接する端縁のそれぞれから所定の間隔を存するとともに、該隣接する端縁のそれぞれに対して約４５°をなす角度で断続的に２つずつ形成されている。
【００２５】
一対の第１折目線５のうち隣接する側の端部同士は、底板部２の四隅に向かって凸な略Ｕ字状の係止片用切目線６１によって接続されている。この係止片用切目線６１と一対の第１折目線５を結ぶ仮想線とで囲まれた略台形状の領域が係止片６である。
【００２６】
一対の第１折目線５のうち反対側の端部同士は、底板部２の四隅から離れる方向に凸な略舟底型の折返片用切目線４１によって接続されている。折返片用切目線４１は、第１折目線５と平行な第１の折返片用切目線４１ａと、該第１の折返片用切目線４１ａの両端から底板部２の四隅に近づく方向に１３５°傾いた第２の折返片用切目線４１ｂと、該第２の切目の先端から第１折目線５に直交するように延びる第３の切目４１ｃから形成されている。この折返片用切目線４１と一対の第１折目線５を含んだ仮想線とで囲まれた略６角形状の領域が折返片４である。
【００２７】
この折返片４の長さと係止片６の長さ（それぞれ仮想線から各先端までの距離を意味するものとする。）と比べると、係止片６の方が折返片４よりも若干長く形成されている。
【００２８】
また、底板部２の中央には、円形通気孔３１が６つ形成されている。また、底板部２の左右端縁には、矩形状の嵌合孔３２がそれぞれ２つ形成されている。
【００２９】
図２に示すように、底板部２の上下端縁には、折目線ａを介して第１側板７が連設されている。また、第１側板７の左右端縁には、折目線ｂを介して補強フラップ７１が連設されている。
【００３０】
第１側板７には、先端中央に凹部７２が形成されている。また、第１側板７には、基端から先端側に向かって折目線ａから直角に延びる細長通気孔７３が３つ形成されている。
【００３１】
図２に示すように、底板部２の左右端縁には、折目線ｃを介して第２側板８が連設されている。第２側板８には、折目線ｃに平行な折目線ｄと該折目線ｄの両端を繋ぐ把持用切れ目８１とが形成されている。第２側板８には、この把持用切れ目８１を破断して折目線ｄを回転軸として第２側板の内方に折り込むことで把持孔８２が形成される。
【００３２】
第２側板８の先端縁には、折目線ｅを介して細長矩形状の枠片部８３が形成されている。枠片部８３の先端中央には、先端縁から突出する方向に凸な倒Ｕ字状の切れ目８４によって、蓋係止部８５が形成されている。
【００３３】
枠片部８３の先端縁には、切れ目８４の両端からそれぞれ上下方向に延びる一対の折目線ｆを介して内壁部９が連設されている。
【００３４】
内壁部９には、先端部中央に矩形状の手孔用開口９１が形成されている。手孔用開口９１は、内壁部９を折目線ｅ及び折目線ｆにより第８側壁に沿うように折り返したときに、把持孔８２に対応する位置に形成されている。
【００３５】
内壁部９の先端縁の左右両側からは、該先端縁から突出する篏合突出部９２がそれぞれ形成されている。篏合突出部９２は、内壁部９を折目線ｅ及び折目線ｆにより第８側壁に沿うように折り返したときに、嵌合孔３２に嵌合されるものである。
【００３６】
内壁部９の左右端縁には、折目線ｇを介して、矩形状の支柱板９３が連設されている。第２側板８の横幅は、内壁部９の横幅より大であるが、この一対の支柱板９３の先端間の距離より小である。より具体的には、支柱板９３の長さ（基端から先端の長さ）は、第２側板８の横幅から内壁部９の横幅を減じた長さを２の平方根で除した長さである。言い換えれば、支柱板９３の長さ（基端から先端の長さ）は、第２側板８の横幅から内壁部９の横幅を減じた長さの半分に２の平方根を乗じた長さである。そして、支柱板９３の長さ（基端から先端の長さ）は、折返片４の第１の折返片用切目線４１ａの長さと実質的に同一である。
【００３７】
支柱板９３の先端縁には、折目線ｈを介して、該支柱板９３とほぼ同形状の補強片９４が連設されている。
【００３８】
次いで、以上のように構成された包装箱１の組立て作業について説明する。
【００３９】
まず、図２における左下の折返片４を係止する作業を図３Ａ乃至図３Ｃを用いて説明する。なお、図２及び図３の段ボール板紙１０の表面側は、包装箱１の内面側に相当するものである。
【００４０】
図３Ａに示すように、折返片４を底板部２の裏面側に向かって押し込む。これにより、折返片４が底板部２から遊離されるため、底板部２には、折返片４の外縁に対応した周縁を持つ折返開口部４２（本発明の「開口部」に相当する。）が形成される。そして、さらに折返片４を底板部２の裏面側に向かって押し込むことで、折返片４は、第１折目線５を回動軸として底板部２の裏面に接するまで折り返される。
【００４１】
このとき、折返片４の基端側には、係止片６が一体として形成されているため、係止片６も第１折目線５を回動軸として回動される。そして、係止片６の長さは、折返片４の長さよりも若干大であるため、係止片６の先端部は、底板部２の表面側において折返開口部４２の周縁部に接する。
【００４２】
次に、係止片６を底板部２の表面側から裏面側に向かって無理やり押圧する。これにより、図３Ｂに示すように、係止片６は、厚み方向に沿って（図３Ｂでいえば、奥行き側から手前側に向かって）撓曲変形される。
【００４３】
さらに、係止片６を底板部２の表面側から裏面側に向かって押圧すると、係止片６は、折返開口部４２の周縁部を通過し、底板部２の裏面側に配置される。そして、係止片６に対する押圧を解除すると、段ボールの弾性変形により、係止片６は、撓曲変形が解除されるとともに、第１折目線５を回動軸として押圧時とは逆方向に回動される。
【００４４】
このとき、係止片６の長さは、撓曲変形が解除されることで折返片４の長さよりも若干大に復元しているため、係止片６の先端部は、底板部２の裏面側において折返開口部４２の周縁部に係止される。
【００４５】
これにより、折返片４は、底板部２の裏面に折り返された状態で、係止片６により係止される。
【００４６】
次に、箱形状への組立てについて説明する。
【００４７】
まず、組立てに先んじて、図２に示す展開状態で、補強片９４を折目線ｈで谷折りして、支柱板９３の表面に折り返して接着しておく。
【００４８】
次に、図４に示すように、折目線ａに沿って両第１側板７を垂直方向に折り曲げ、さらに、両第１側板７から連設されている各補強フラップ７１を折目線ｂに沿って、底板部２及び第１側板７の双方に略直交する角度にそれぞれ折り曲げる。
【００４９】
次に、各補強フラップ７１の外側に接するように、折目線ｃに沿って両第２側板８を垂直方向に折り曲げる。
【００５０】
次に、図５に示すように、枠片部８３を折目線ｅに沿って水平方向に折り曲げ、さらに、枠片部８３の先端縁から連設された内壁部を折目線ｆに沿って垂直方向に折り曲げて、第２側板８と内壁部９とで補強フラップ７１を挟み込む。
【００５１】
内壁部９を折目線ｆに沿って垂直方向に折り曲げる際、一対の折目線ｆは、切れ目８４によって分断されているため、切れ目８４によって形成された蓋係止部８５は、垂直方向に折り曲げられることなく、枠片部８３から箱体の内方に向かって水平方向に延出される。
【００５２】
また、内壁部９を折目線ｆに沿って垂直方向に折り曲げる際、外側に配置される第２側板８の横幅に比べて、内壁部９の横幅は小であるが、内壁部９に連設された一対の支柱板９３まで含めた幅（一対の支柱板９３の先端間の距離）は大であるため、支柱板９３は、第１側板７により折目線ｇに沿って谷折りされながら、箱体の内部側に折り込まれる。
【００５３】
そして、支柱板９３には、折目線ｇに沿って段ボールの復元力が発生しているため、支柱板９３の先端縁は、第１側板７の内表面に押し付けられて係止される。
【００５４】
また、支柱板９３の長さ（基端から先端の長さ）は、第２側板８の横幅から内壁部９の横幅を減じた長さの半分に２の平方根を乗じた長さであるため、第１側板７、第２側板８及び支柱板９３で囲まれる領域は、平面視において、支柱板９３を斜辺とする略直角二等辺三角形を形成する。
【００５５】
さらに、内壁部９を折目線ｆに沿って垂直方向に折り曲げた後、内壁部９の先端に形成された篏合突出部９２を底板部２の嵌合孔３２に嵌合する。
【００５６】
最後に、必要に応じて、第２側板８の把持用切れ目８１を破断して折目線ｄを回転軸として箱体の内部側に折り込むことで把持孔８２を形成する。
【００５７】
以上により、包装箱１が組み立てられる。
【００５８】
さらに、組み立てられた包装箱１は、図６に示すように、内容物を収納したうえで、包装箱１の内周よりも外周が若干小さい略８角形状の蓋板２０を内部に挿入して上面を閉塞させることができる。そして、組み立てられた包装箱１は、図６に示すように、複数、積み重ねることができる。
【００５９】
次に、本実施形態の包装箱１の作用効果について説明する。
【００６０】
包装箱１では、折返片４が底板部２の裏面に折り返されて底板部２の裏面から段ボール板紙１０の厚さの分だけ突出させることができる。また、包装箱１では、係止片６により、折返片４をこの折り返した状態で維持することができる。
【００６１】
そして、包装箱１では、上下に包装箱１を積み重ねたときに、底板部２の裏面から突出した折返片４を下側の包装箱１の側壁部３の上端部の内表面側に折返片４を係止させることができため、上下の包装箱のずれ防止を図ることができる。
【００６２】
また、図７に示すように、包装箱１では、平面視において、第１側板７、第２側板８及び支柱板９３で囲まれる領域は、支柱板９３を斜辺とする略直角二等辺三角形を形成しているため、第１側板７の内表面と支柱板９３の内表面、及び、支柱板９３の内表面と第２側板８の内表面は、それぞれ略１３５°で接続されている。これに対して、折返片４のうち第１の折返片用切目線４１ａにより形成された先端縁に対して、各第２の折返片用切目線４１ｂにより形成された先端縁は、それぞれ１３５°屈曲している。さらに、第１の折返片用切目線４１ａの長さと支柱板９３の長さ（基端から先端までの長さ）とは実質的に同一であるため、折返片４のうち第１の折返片用切目線４１ａにより形成された先端縁は、下側の包装箱１の支柱板９３の内表面側の上端部で係止され、折返片４のうち各第２の折返片用切目線４１ｂにより形成された先端縁は、下側の包装箱１の第１側板７及び第２側板８（内壁部９）の内表面側の上端部にそれぞれ係止される。
【００６３】
よって、上下の包装箱１は、折返片４ごとに３箇所、合計１２箇所で係止されるため、上下の包装箱のずれ防止をより確実に図ることができる。
【００６４】
また、包装箱１は、蓋係止部８５が箱体の内方に向かって水平方向に延出されているため、蓋板２０を包装箱１の内部に挿入して上面を閉塞させたときに、蓋板２０が誤って外れることを防止することができる。また、包装箱１は、この蓋係止部８５が対向する方向と直交する方向に一対の凹部７２が形成されているため、凹部７２から手指を挿入することで、蓋係止部８５を設けても蓋板２０を取り外しやすい。
【００６５】
以上説明した包装箱１は、ヨーグルトクレートなどと呼ばれるプラスチック製の食品コンテナに換えて使用するのに、好適である。
【００６６】
以下、本実施形態の変形例を説明する。
【００６７】
本実施形態では、有底四角筒状の包装箱１を例に説明したが、包装箱は、有底筒状であれば、何角形でもよく円筒状であってもよい。
【００６８】
本実施形態では、六角形状の折返片４を例に説明したが、折返片は、底板部２の裏面側に突出できれば足りるため、第１折目線５の両端を繋ぐ屈曲状または湾曲状の切れ目によって形成すれば形状は問わない。例えば、折返片の先端縁を９０°に形成しておき、第１側板７及び第２側板８に接するように形成することもできる。また、折返片の先端縁から折目線を介して舌片をさらに連設しておき、包装箱を積み重ねる際に、該折目線で舌片を谷折りしながら、下側の包装箱に積み重ねて、舌片も側壁部３の内表面に接触させることで上下の包装箱のずれ防止を図ることもできる。あるいは、舌片を山折りに折り返すことで折返片４の厚みを増すこともでき、さらには、舌片を山折りに折り曲げ底板部２に一部差し込むことで折返片を脚状にすることもできる。
【００６９】
また、本実施形態では、底板部２の四隅に折返片４が形成されたものを例に説明したが、係止部は、下側に積み重ねられた包装箱の側壁部３に係止できるものであれば、位置及び個数は問わない。
【００７０】
本実施形態では、折返片４に係止片６が一体に形成されたものを例に説明したが、係止片は、上述した舌片のように折返片４の先端縁に折目線を介して連設し、該折目線で折り曲げて底板部２に差し込むことで折返片４を係止することもできる。
【００７１】
本実施形態では、略台形状の係止片６を例に説明したが、係止片は、折返片４の長さよりも若干長く、かつ、折返開口部の周縁部を通過できればどのような形状であってもよい。
【００７２】
この点について、図８に示した変形例を用いて説明を加える。
【００７３】
図８に示すように、折返片４’は、第１の折返片用切目線４１ａの中間に、逆Ｕ字状の第４の折返片用切目線４１ｄを形成することもできる。このとき、係止片６の長さは、折返片４の第１の折返片用切目線４１ａまでの長さよりも若干長く、かつ、折返片４の第４の折返片用切目線４１ｄまでの長さよりも小である。
【００７４】
この変形例によれば、折返片４’を底板部２の裏面に折り返すことで、係止片６は、折返片４’が遊離した折返開口部４２の周縁部に接する。このとき、変形例の係止片６を第１折目線５に直交する仮想線を軸として回転させるように捻ることで、係止片６は、折返開口部４２のうち第４の折返片用切目線４１ｄに対応する周縁部を通過することができる。
【００７５】
したがって、この変形例によれば、係止片６を大きく撓性変形させることなく、折返開口部４２を通過させることができる。
【００７６】
以上説明したとおり、第１折目線５を繋ぐ仮想線からの距離を対比する際に、係止片は、その横幅のうちいずれかの領域に、この横幅に対応する範囲における折返片の長さよりも若干長い部分があれば足り、横幅全域において折返片よりも長い必要はない。
【００７７】
また、本実施形態では、一の折返片４に対して一の係止片６が形成されたものを例に説明したが、一の折返片４を複数の係止片６で係止してもよく、複数の折返片４を一の係止片６で係止してもよい。この変更に伴い、第１折目線５の個数を２個（一対）から変更することもできる。
【００７８】
また、係止片６は省略することもでき、この場合は、折返片４を１個の第１折目線５で底板部２の裏面側に折り返して接着することが好ましい。
【００７９】
本実施形態では、底板部２の隣接する端縁から所定の間隔を存するとともに、該隣接する端縁のそれぞれに対して約４５°をなす角度で断続的に一対形成された第１折目線５を例に説明したが、上述したとおり、第１折目線５の個数は折返片４及び係止片６の個数に合わせて適宜変更することができる。また、第１折目線５を設ける方向も、例えば、第１側板７や第２側板８に沿って形成することもできる。
【００８０】
本実施形態では、枠片部８３及び内壁部９を有する組立式の包装箱を例に説明したが、本発明はこれに限られず、連設された接着片で接着することで、底板部２や側壁部３を形成・組み立ててもよい。
【００８１】
本実施形態では、内壁部９に支柱板９３が連設されたものを例に説明したが、支柱板９３はなくてもよい。
【００８２】
また、本実施形態では、支柱板９３にほぼ同形状の補強片９４が連設されたものを例に説明したが、補強片９４は省略してもよく、あるいは、補強片の長さ（基端から先端の長さ）を第２側板８の横幅から内壁部９の横幅を減じた長さの半分としたうえで、１個または２個、それぞれ折目線を介して連設して、４５°、９０°の順で折り曲げることで、側壁部３の隅部に接触させて三角筒状の柱部を形成することもできる。
【符号の説明】
【００８３】
１    包装箱
２    底板部
３    側壁部
４    折返片
４１  折返片用切目線
４２  折返開口部（開口部）
５    第１折目線
６    係止片
６１  係止片用切目線
７    第１側板（側板）
８    第２側板（側板）
９３  支柱板
【図１】
2020104935.tif 000003
【図２】
2020104935.tif 000004
【図３】
2020104935.tif 000005
【図４】
2020104935.tif 000006
【図５】
2020104935.tif 000007
【図６】
2020104935.tif 000008
【図７】
2020104935.tif 000009
【図８】
2020104935.tif 000010